(57)【特許請求の範囲】
【請求項１】
組織クリッピング装置であって、
可撓性の細長い部材であって、該可撓性の細長い部材の近位端は、ユーザにアクセス可能な身体の外側に残留する一方で、該可撓性の細長い部材の遠位端は、クリッピングされる標的組織に隣接する場所まで、該身体内に挿入される、可撓性の細長い部材と、
該可撓性の部材を通って延在する制御ワイヤと、
該可撓性の部材の遠位端に解放可能に連結されるカプセルと、
クリップであって、該クリップの近位部分が該カプセル内に受容される、クリップと、
該クリップを該制御ワイヤに解放可能に連結する継手であって、該継手は、該クリップの近位端に移動可能に接続されるヨークと、該クリップを該制御ワイヤから分離するために、所定の力を受けると破断する脆弱連接部とを含む、継手と、
該制御ワイヤに接続されるＵリンクを備え、該ヨークは、該クリップに取り付けられ、該Ｕリンクに解放可能に接続され、該ヨークは、該Ｕリンクの一部にわたって延在する側壁を含み、そして該ヨークおよび該Ｕリンクを通って延在するピンによって該Ｕリンクに連結される、装置。
【請求項２】
前記脆弱連接部は、前記ヨークを前記クリップに連結するために、該クリップの近位端に形成される空間を通過する、請求項１に記載の装置。
【請求項３】
前記脆弱連接部は、前記ヨークを前記制御ワイヤに連結するために、前記クリップの近位端の近位のヨークの一部を通って延在する、請求項１に記載の装置。
【請求項４】
前記クリップは、第１のアームおよび第２のアームを含み、該第１のアームおよび第２のアームは、近位接合点から遠位に延在し、開放した組織受容構成に向かって付勢され、前記カプセル内への近位の該クリップの相対運動は、少なくとも該第１のアームおよび第２のアームを相互に向かって組織把持構成に引き込む、請求項１に記載の装置。
【請求項５】
前記クリップは、実質的に砂時計形状の近位部分を備えるシングルピースのクリップである、請求項１に記載の装置。
【請求項６】
前記クリップは、実質的に砂時計形状の近位部分を備えるマルチピースのクリップである、請求項１に記載の装置。
【請求項７】
前記可撓性の部材の遠位端は、前記カプセルに解放可能に連結されるブッシングを備え、前記装置は、（ｉ）該ブッシングおよび（ｉｉ）該カプセルの近位端のうちの一方に受容されるブッシング支持部をさらに備え、該ブッシング支持部は、半径方向外側位置の該ブッシングの少なくとも１つのタブを、（ｉ）該ブッシングおよび（ｉｉ）該カプセルの近位端のうちのもう一方の対応する係止特徴と係合したまま維持し、該カプセルを該ブッシングに連結させたままで維持する、請求項１に記載の装置。
【請求項８】
前記制御ワイヤは、該制御ワイヤの前記クリップからの分離の際に、（ｉ）直径が増加した該制御ワイヤの遠位部分と（ｉｉ）該制御ワイヤに連結されたままの前記継手の一部分のうちの一方が、前記ブッシング支持部に対して近位に引かれ、前記少なくとも１つのタブとの係合から該ブッシング支持部を移動させることによって、該カプセルを該ブッシングから連結解除するように、該ブッシング支持部を通って摺動可能に受容される、請求項７に記載の装置。
【請求項９】
前記クリップの近位部分の幅は低減され、前記ヨークのアームは、該クリップの近位部分の周囲に延在し、該クリップは、該クリップの近位部分内の空間を通って延在するヨーク柱を介して該ヨークに連結されることによって、該ヨークのアームに連結する、請求項１に記載の装置。
【請求項１０】
前記脆弱連接部は前記ヨーク柱として形成される、請求項９に記載の装置。
【請求項１１】
前記脆弱連接部は少なくとも１つの応力集中特徴を備えている、請求項１に記載の装置。
【請求項１２】
前記可撓性の部材はコイルとして形成され、前記装置は、前記制御ワイヤを摺動可能に受容するチューブとして形成される係止部をさらに備え、該チューブは、該制御ワイヤが前記クリップから分離すると、該制御ワイヤの拡張された遠位端および該遠位端に取り付けられたままの前記継手の一部分のうちの一方が、該チューブの遠位端内に収容されるように、折畳可能区画を含む、請求項１に記載の装置。
【発明の詳細な説明】
【技術分野】
【０００１】
（優先権主張）
本出願は、Ｄｍｉｔｒｉ  Ｍｅｎｎ、Ｒｕｓｓｅｌｌ  Ｆ．Ｄｕｒｇｉｎ、Ｂｒｉａｎ  Ｋｅｉｔｈ  Ｗｅｌｌｓ、Ｌａｎｃｅ  Ａｌａｎ  Ｗｏｌｆ、Ｇｒｅｇｏｒｙ  Ｒ．Ｆｕｒｎｉｓｈ、Ｖａｓｉｌｉｙ  Ｐ．ＡｂｒａｍｏｖおよびＷｉｌｌｉａｍ  Ｃ．Ｍｅｒｓ  Ｋｅｌｌｙへの２００８年６月１９日に出願された米国仮特許出願第６１／０７４，０９４号（発明の名称「Ｈｅｍｏｓｔａｔｉｃ  Ｃｌｉｐｐｉｎｇ  Ｄｅｖｉｃｅｓ  ａｎｄ  Ｍｅｔｈｏｄｓ」）に対する優先権を主張する。
【背景技術】
【０００２】
（背景）
胃腸（「ＧＩ」）系、胆道系、血管系、ならびに他の身体管腔および中空器官の病理は、一般に、内視鏡手順を介して処置され、その多くは、内部出血を減少させるために、能動的および／または予防的な止血を必要とする。内視鏡を介して、止血クリップを展開するためのツールは、しばしば、創傷または切開の縁をともに挟持することによって、内部出血を止めるために使用される。
【０００３】
最も単純な形態では、これらのクリップは、創傷の周囲の組織を把持し、創傷の縁をともに接合し、自然治癒プロセスが創傷を閉鎖させることを可能にする。特殊な内視鏡クリッピングデバイスを使用して、身体内の所望の場所にクリップを送達し、所望の場所にクリップを位置付け、展開し、その後、クリップ送達デバイスが抜脱され、身体内にクリップが残される。
【０００４】
内視鏡止血クリッピングデバイスは、概して、内視鏡の作用管腔を介して、身体内（例えば、胃腸管、肺系、血管系、または他の管腔および管路内）深部の組織に到達するように設計される。したがって、クリッピングデバイスの寸法は、クリッピングデバイスとともに採用される内視鏡の作用チャネルの寸法によって制限される。
【発明の概要】
【課題を解決するための手段】
【０００５】
（発明の概要）
一局面において、本発明は、組織クリッピング装置に関し、この組織クリッピング装置は、可撓性の細長い部材であって、その近位端が、ユーザにアクセス可能に身体の外部に残留する一方、その遠位端が、クリッピングされる標的組織に隣接する場所まで身体内に挿入される、可撓性の細長い部材を備える。可撓性の部材を通って延在する制御ワイヤは、カプセルと共に、可撓性の部材の遠位端と、クリップとに解放可能に連結され、クリップの近位部分は、カプセル内に受容される。クリップを制御ワイヤに解放可能に連結する継手は、クリップの近位端の周囲に延在するヨークと、クリップを制御ワイヤから分離するための所望の張力を受けると破断する脆弱連接部とを含む。
例えば、本発明は以下の項目を提供する。
（項目１）
組織クリッピング装置であって、
可撓性の細長い部材であって、該可撓性の細長い部材の近位端は、ユーザにアクセス可能に身体の外側に残留する一方で、該可撓性の細長い部材の遠位端は、クリッピングされる標的組織に隣接する場所まで、該身体内に挿入される、可撓性の細長い部材と、
該可撓性の部材を通って延在する制御ワイヤと、
該可撓性の部材の遠位端に解放可能に連結されるカプセルと、
クリップであって、該クリップの近位部分が該カプセル内に受容される、クリップと、
該クリップを該制御ワイヤに解放可能に連結する継手であって、該継手は、該クリップの近位端に移動可能に接続されるヨークと、該クリップを該制御ワイヤから分離するために所定の力を受けると破断する脆弱連接部とを含む、継手と
を備えている、装置。
（項目２）
上記脆弱連接部は、上記ヨークを上記クリップに連結するために、該クリップの近位端に形成される空間を通過する、項目１に記載の装置。
（項目３）
上記脆弱連接部は、上記ヨークを上記制御ワイヤに連結するために、上記クリップの近位端の近位のヨークの一部を通って延在する、項目１に記載の装置。
（項目４）
上記クリップは、近位接合点から遠位に延在し、開放した組織受容構成に向かって付勢される第１のアームおよび第２のアームを含み、上記カプセル内への近位の該クリップの相対運動は、少なくとも該第１のアームおよび第２のアームを相互に向かって組織把持構成に引き込む、項目１に記載の装置。
（項目５）
上記クリップは、実質的に砂時計形状の近位部分を備えるシングルピースのクリップである、項目１に記載の装置。
（項目６）
上記クリップは、実質的に砂時計形状の近位部分を備えるマルチピースのクリップである、項目１に記載の装置。
（項目７）
上記制御ワイヤに接続されるＵリンクをさらに備え、上記ヨークは、上記クリップに取り付けられ、該Ｕリンクに解放可能に接続される、項目１に記載の装置。
（項目８）
上記可撓性の部材の遠位端は、上記カプセルに解放可能に連結されるブッシングを備え、上記装置は、該ブッシングおよび該カプセルの近位端のうちの一方に受容されるブッシング支持部をさらに備え、該ブッシング支持部は、半径方向外側位置の少なくとも１つのタブを、該ブッシングおよび該カプセルの近位端のうちの他方の対応する係止特徴と係合したまま維持し、該カプセルを該ブッシングに連結させたままで維持する、項目１に記載の装置。
（項目９）
上記制御ワイヤは、該制御ワイヤの上記クリップからの分離の際に、直径が増加した該制御ワイヤの遠位部分と該制御ワイヤに連結されたままの上記継手の一部分のうちの一方が、上記ブッシング支持部に対して近位に引かれ、上記少なくとも１つのタブとの係合から該ブッシング支持部を移動させることによって、該カプセルを該ブッシングから連結解除するように、該ブッシング支持部を通って摺動可能に受容される、項目８に記載の装置。
（項目１０）
上記クリップの近位部分の幅は低減され、上記ヨークのアームは、該クリップの近位部分の周囲に延在し、該クリップは、該クリップの近位部分内の空間を通って延在するヨーク柱を介して該ヨークに連結されることによって、該ヨークのアームに連結する、項目１に記載の装置。
（項目１１）
上記脆弱連接部は上記ヨーク柱として形成される、項目１０に記載の装置。
（項目１２）
上記脆弱連接部は少なくとも１つの応力集中特徴を備えている、項目１に記載の装置。
（項目１３）
上記可撓性の部材はコイルとして形成され、上記装置は、上記制御ワイヤを摺動可能に受容するチューブとして形成される係止部をさらに備え、該チューブは、該制御ワイヤが上記クリップから分離すると、該制御ワイヤの拡張された遠位端および該遠位端に取り付けられたままの上記継手の一部分のうちの一方が、該チューブの遠位端内に収容されるように、折畳可能区画を含む、項目１に記載の装置。
（項目１４）
組織クリッピング装置であって、
可撓性の細長い部材であって、該可撓性の細長い部材の近位端は、ユーザにアクセス可能に身体の外側に残留する一方、該可撓性の細長い部材の遠位端は、クリッピングされる標的組織に隣接する場所まで、該身体内に挿入される、可撓性の細長い部材と、
該可撓性の部材を通って延在する制御ワイヤと、
該可撓性の部材の遠位端に解放可能に連結されるカプセルと、
クリップであって、該クリップの近位部分が該カプセル内に受容される、クリップと、
該クリップを該制御ワイヤに解放可能に連結する継手であって、該継手は、近位および遠位シェルを含み、該近位シェルは、該制御ワイヤの遠位部分を受容する管腔と、該制御ワイヤの拡張された遠位端を受容するように定寸される該管腔の遠位端における空洞とを含み、該遠位シェルは、該クリップの近位部分に取り付けられ、該近位および遠位シェルは、脆弱連接部によって相互に連結される、継手と
を備えている、装置。
（項目１５）
上記近位シェルは、該近位シェルの遠位端に第１の空洞を含み、該第１の空洞は、上記クリップの第１および第２のアームの近位端を受容し、半径方向外側に付勢する付勢力に対して、該第１および第２のアームを制約し、その結果、上記脆弱連接部が破断し、該第１および第２のアームの近位端が、該第１の空洞から解放されると、該第１および第２のアームのうちの少なくとも１つの近位端が、外側に跳開し、上記カプセルに係合し、該カプセル内にクリップを閉鎖構成で係止する、項目１５に記載の装置。
（項目１６）
上記近位シェルは上記制御ワイヤの遠位端の周囲に互いに取り付けられる２つの部品を含み、該２つの部品は、柱とメス型孔とを嵌合することによって、適切な位置に保持される、項目１６に記載の装置。
（項目１７）
上記遠位シェルは上記クリップの近位部分の周囲に互いに取り付けられる２つの部品を含み、該２つの部品は、柱とメス型孔とを嵌合することによって、適切な位置に保持される、項目１６に記載の装置。
（項目１８）
上記脆弱連接部は、上記遠位シェルの近位端に形成される第２の空洞の側壁に連結される、項目１６に記載の装置。
（項目１９）
上記脆弱連接部は、上記制御ワイヤの遠位端に連結され、それぞれ、上記クリップの上記第１および第２のアームの近位端内に形成される第１および第２の孔を通ってネジ留めされるワイヤループとして形成され、該ワイヤループは、該第１および第２のクリップの近位端をともに保持し、所定の力を受けると、破断するように設計される、項目１６に記載の装置。
【図面の簡単な説明】
【０００６】
【図１】図１は、本発明の実施形態に従う、シングルピースの止血クリップの断面図である。
【図２】図２は、本発明の実施形態に従う、シングルピースの止血クリップの斜視図である。
【図３】図３は、図１のクリップのためのリテーナの遠位先端の断面図である。
【図４】図４は、図１のクリップのためのリテーナの斜視図である。
【図５】図５は、本発明の第２の実施形態に従う、シングルピースの止血クリップの斜視図である。
【図６】図６は、本発明の第２の実施形態に従う、Ｕリンクの斜視図である。
【図７】図７は、本発明の第２の実施形態に従う、シングルピースの止血クリップの斜視図である。
【図８】図８は、本発明の第２の例示的実施形態に従う、剪断ピンの断面図である。
【図９】図９は、本発明の第３の例示的実施形態に従う、クリップの斜視図である。
【図１０】図１０は、本発明の第３の例示的実施形態に従う、クリップの部連結解除面図である。
【図１１】図１１は、本発明の第４の例示的実施形態に従う、クリップの斜視図である。
【図１２】図１２は、本発明の第４の例示的実施形態に従う、展開されたクリップの斜視図である。
【図１３】図１３は、本発明の実施形態に従う、ワイヤ係止機構の斜視図である。
【図１４】図１４は、本発明の実施形態に従う、ワイヤ係止機構の第２の斜視図である。
【図１５】図１５は、本発明の実施形態に従う、ワイヤ係止機構の断面図である。
【図１６ａ】図１６ａは、本発明に従う、ワイヤ係止機構の斜視図である。
【図１６ｂ】図１６ｂは、本発明に従う、ワイヤ係止機構の拡大図である。
【図１６ｃ】図１６ｃは、本発明に従う、圧壊されたワイヤ係止機構の斜視図である。
【発明を実施するための形態】
【０００７】
（詳細な説明）
本発明の実施形態に従うと、比較的に製造および使用が単純な止血クリッピングデバイスが提供される。クリッピングデバイスの例示的実施形態は、単一および２ピース止血クリップの両方のための展開機構だけではなく、先端−カテーテル分離のための機構を改良する。また、実施形態は、クリップ展開デバイスの鋭利縁からの内視鏡の作用チャネルの保護を提供する。現在、本分野で採用されている止血クリップの実施例は、Ｃｏｈｅｎらの２００７年５月３日出願米国特許出願第６０／９１５，８０６号「Ｓｉｎｇｌｅ  Ｓｔａｇｅ  Ｈｅｍｏｓｔａｓｉｓ  Ｃｌｉｐｐｉｎｇ  Ｄｅｖｉｃｅ」（以下、'８０６出願）に開示されているようなクリップを含み、その開示は、参照することによって本明細書に援用される。
【０００８】
図１−４に示されるように、本発明の例示的実施形態に従う、クリッピングデバイス１００は、カプセル１１０内から、組織を挟持する、例えば、出血を停止するために、創傷を閉鎖するように挟持するための一対の組織把持アーム１０４を含む、シングルピースの止血クリップ１０２を展開する。止血クリップ１０２は、当業者に理解されるように、ステンレス鋼およびニチノール等の金属、ポリマー、生物学的材料等を含む、生体適合性材料から形成される。初期挿入構成の際、クリップ１０２は、カプセル１１０内に含有され、図１に示される開放した組織受容構成に分離するように付勢するアーム１０４の付勢力に対抗して、相互に近接して、アーム１０４の遠位端とともに、アーム１０４を閉鎖構成に制約する。具体的には、クリップ１０２の近位部分は、アーム１０４の近位および中間部分とともに、カプセル１１０内に格納され、カプセル１１０の内側壁とアーム１０４との間の接触は、アーム１０４を相互に対して閉鎖状態に引き込む。カプセル１１０の近位部分は、例えば、身体の外側に常に残留するデバイス１００の近位部分まで延在する細長い管状構造として形成される、可撓性の部材１３０に接続される。可撓性の部材１３０は、コイル、または代替として、任意の他の好適な中空の可撓性の構造として、形成されてもよい。例示的実施形態では、可撓性の部材１３０は、好適に薄い材料から成り、実質的に巻回することなく、近位部分に対して、いずれかの方向に適用される回転を遠位端に伝達する。具体的には、縦軸を中心とするデバイス１００の近位部分の回転は、可撓性の部材１３０に沿って、カプセル１１０に伝達され、それによって把持される組織の一部に対して、最適配向にクリップ１０２を位置付ける。制御ワイヤ１３２は、詳細に後述されるように、可撓性の部材１３０内に摺動可能に受容され、その遠位端は、カプセル１１０内に受容される。制御ワイヤ１３２の近位部分は、デバイス１００の近位部分上のアクチュエータ（図示せず）に接続され、手技を介してユーザにアクセス可能なままである。
【０００９】
クリップ１０２の近位部分は、球根状近位端１１１を伴う、実質的に砂時計形状に形成されてもよい。近位端１１１の球根状形状は、当業者に理解されるように、クリップ１０２のクリップ−開放角度を最大限にすることが可能である一方、砂時計形状は、その中に展開機構のヨーク柱１１２を受容するために、近位端１１１内に空間１３６を形成する。ヨーク柱１１２は、可撓性の部材１３０を通る制御ワイヤ１３２の近位および遠位への移動が、ヨーク柱１１２と近位端１１１との間の接触を促進し、したがって、カプセル１１０に対して、クリップ１０２を近位および遠位に移動させるように、ヨーク１１４およびＵリンク１１６を介して、制御ワイヤ１３２に連結されてもよい。当業者に理解されるように、ヨーク柱１１２が、所望の近位および遠位力を制御ワイヤ１３２からクリップ１０２へと伝達するために十分に強固である限り、ヨーク柱１１２の形状は、重要ではない。したがって、ヨーク柱１１２は、例えば、矩形、円形、または楕円形等を含む、種々の幾何学形状で形成されてもよい。当業者に理解されるように、ヨーク１１４の近位部分は、制御ワイヤ１３２を介してそこに不要される張力等、所定の力を受けると、破断するように設計される剪断ピン１１８を介して、Ｕリンク１１６に連結され得る。図２および３に示されるように、剪断ピン１１８は、例えば、ヨーク１１４およびＵリンク１１６の開口部を通って延在する実質的に円筒形のピンとして形成され得、その両端は、一実施形態では、カプセル１１０内のクリップ１０２のセンタリングを補助する円錐半径を有する。しかしながら、ヨーク１１４の任意の他の好適な形状も、同様に適用されてもよい。代替実施形態では、剪断ピン１１８は、締り嵌めを介して、ヨーク１１４およびＵリンク１１６の一方または両方に連結されてもよい。ヨーク１１４は、図３の実施形態から分かるように、剪断ピン１１８が、ヨーク１１４およびＵリンク１１６の両方を通る線を通過し得るように、Ｕリンクの両側にわたって延在する側壁を含んでもよい。ヨーク１１４の各側壁は、そこから半径方向外側に突出するタブ状突起として形成される、センタリング突起１２０をさらに備えてもよい。センタリング突起１２０は、カプセル１１０の内側直径と一致する半径を伴って形成され、その中にクリップ１０２をセンタリングすることが可能である。Ｕリンク１１６の近位端は、制御ワイヤの遠位端１３２に取り付け可能である。本実施形態では、制御ワイヤの遠位端は、Ｕリンク１１６の対応するように定寸および成形される陥凹内に受容され、Ｕリンク１１６を制御ワイヤ１３２に連結する、ボール継手１３３を含む。当業者は、取り付けが、制御ワイヤ１３２からＵリンク１１６へと、その結果、ヨーク１１２およびクリップ１０２へも、張力等の所望の力を伝達可能である限り、任意の数の取り付け配列を使用して、制御ワイヤ１３２をＵリンク１１６に結合し得ることを認識するであろう。したがって、制御ワイヤ１３２の遠位および近位への作動は、詳細に後述のように、適宜、クリップを開閉可能である。
【００１０】
本発明のクリップ１０２は、制御ワイヤ１３２に付与される近位引張力が、詳細に後述のように、剪断ピン１１８を破断させ、したがって、クリップ１０２を閉鎖状態に係止するように設計される、所定の閾値を超えない限り、手技の間、複数回、開閉されてもよい。具体的には、ユーザは、クリップ１０２を適切な位置に係止する前に、複数回、クリップ１０２を開閉し、クリップ１０２を標的組織上に適切に配置してもよい。所望の定置面積に到達し、クリップ１０２を適切な位置に係止することが所望されると、ユーザは、制御ワイヤ１３２を近位に引き、クリップ１０２をカプセル１１０内に引き込んでもよい。代替として、カプセル１１０が、遠位に前進され、クリップ１０２をその中に引き込むために必要な力を提供してもよい。アーム１０４は、クリップ１０２がカプセル１１０内へと近位に引き込まれるのに伴って、クリップ１０２が閉鎖される点に到達されるように、狭小近位端から遠位端の増幅幅肩部１０４ｂまで徐々に幅を増加し、アーム１０４の遠位端が一体となり、組織を把持し、肩部１０４ｂは、カプセル１１０の遠位端に係合し、クリップ１０２がカプセル１１０内へとさらに引き込まれるのを防止する。本時点では、制御ワイヤ１３２に付与される付加的引張力は、破断レベルに到達するまで、剪断ピン１１８にかかる張力を増加させる。これが生じると、Ｕリンク１１６は、ヨーク１１２から分離され、クリップ１０２は、それによって把持される任意の組織上に閉鎖構成に係止される。クリップ１０２は、当技術分野において周知の係止手段を採用してもよい。剪断ピン１１８は、ポリマー、あるいはタンタル、金、または銀等の金属等の材料から成り、材料の解放力は、約２６．６９−６６．７２Ｎである。代替として、解放力は、２０−８０Ｎと可変であってもよい。したがって、Ｕリンク１１６およびヨーク１１４は、剪断ピン１１８より強力な力を有するように形成され得る。これらの要素は、例えば、ステンレス鋼、または高力ポリマー、あるいは熱硬化性樹脂から形成されてもよい。破砕剪断ピン１１８は、カプセル１１０内に格納されたままとなるように適合され、その構造は、その破砕ピースが鋭利縁を含まないことを保証する。このように、そのより小さい破砕部分は、カプセル１１０から漏出された場合でも、患者に何ら有害となる潜在性を提起しない。
【００１１】
'８０６出願により詳述されるように、遊離Ｕリンク１１６が近位に引張されるのに伴って、ブッシング支持部１３５の遠位面に係合し、可撓性の部材１３０の遠位端のブッシング１３４内へとブッシング支持部１３５を近位に駆動する。カプセル１１０の近位端内に受容されると、ブッシング支持部１３５は、ブッシング１３４の少なくとも１つのタブ（図示せず）に係合し、カプセル１１０の対応する窓（図示せず）と係合するように、タブを半径方向外側に付勢する。ブッシングのタブは、ブッシング支持部１３５がカプセル１１０の近位端から除去されると、ブッシング１３４のタブが遊離され、カプセルの窓から係脱し、カプセル１１０がブッシング１３４および可撓性の部材１３０から永久に分離され、クリップ１０２を把持された組織上に係止されたまま残すように、カプセル１１０の窓から係脱されるように、半径方向内側位置に向かって付勢される。次いで、可撓性の部材１３０は、身体から抜脱されてもよい。
【００１２】
代替実施形態では、ブッシング支持部１３５の代わりに、カプセル１１０が、ブッシング１３４の遠位端に形成されるリテーナ１４０によって、ブッシング１３４と係合するように維持されてもよい。リテーナ１４０は、カプセル１１０内の対応する窓（図示せず）（または、代替として、摩擦嵌合によって）に係合する、タブ１４６を含んでもよい。リテーナ１４０は、リテーナ１４０をワイヤ１３２上の適切な位置で摺動させるスロット１４３とともに、その中に制御ワイヤ１３２を摺動可能に受容するように定寸される、開口部１４２を備えてもよい。スロット１４３は、リテーナ１４０を制御ワイヤ１３２上にクリッピングさせ、したがって、制御ワイヤ１３２をリテーナ１４０にネジ留めさせる必要性を排除するように定寸される。リテーナ１４０は、２つのバネアーム１４４をさらに備えてもよく、それぞれ、カプセル１１０の対応する窓に係合するように付勢される、タブ１４６を含んでもよい。次いで、上述のように、剪断ピン１１８が破断し、Ｕリンク１１６が近位に引かれると、Ｕリンク１１６は、上述のように、リテーナ１４０をブッシング１３４内へと駆動し、カプセル１１０から係脱するようにタブ１４６を引き、カプセル１１０を可撓性の部材１３０から遊離させ得る。次いで、可撓性の部材１３０は、身体から抜脱されてもよい。一実施形態では、リテーナ１４０は、１７−７ステンレス鋼等の硬度調整可能な金属から成る。しかしながら、リテーナ１４０は、本発明の精神および範囲から逸脱することなく、生体適合性金属および形成可能ポリマーを含む、多数の生体適合性材料から構成され得ることに留意されたい。
【００１３】
図５−８に示されるように、本発明のさらなる実施形態に従う、クリップ２００は、デバイス１００に関して上述と実質的に同様に、カプセル２１０内のＵリンク２１６に係合するように定寸される、実質的に砂時計形状の近位部分を備える。しかしながら、本実施形態では、デバイス１００のヨーク柱１１２と同様に、Ｕリンク２１６の開口部２２８を通って受容される剪断ピン２１８が、クリップ２００の砂時計形状の近位部分内へと延在するように、ヨークおよびＵリンクは、クリップの近位端２００の周囲に延在するＵリンク２１６のアーム２２６を伴う、一体型Ｕリンク２１６と置換されている。クリップ２００は、デバイス１００に関して上述のように、制御ワイヤ２３２に連結されてもよい。さらに、可撓性の部材２３０とカプセル２１０との間の接続およびカプセル２１０を可撓性の部材２３０から分離するための機構もまた、デバイス１００に関して上述のものと実質的に同様であってもよい。
【００１４】
カプセル２１０は、展開後、クリップ２００をカプセル２１０内の適切な位置に保持する、したがって、クリップ２００を閉鎖構成に係止するために、その近位部分のクリップ保定タブ２５０とともに形成されてもよい。具体的には、展開の際、クリップ２００は、所定の距離だけ、カプセル２１０内へと近位に待避され、タブ２５０の近位端を越えて、クリップ２００の砂時計形状の近位部分を近位に引き、砂時計形状の近位部分から遠位のクリップ２００の減少厚部分２５２をタブ２５０に隣接させる。本移動によって、タブ２５０は、タブ２５０の近位端とクリップ２００の砂時計形状近位部分との間の接触が、クリップ２００をカプセル２１０内に係止し、クリップ２００が再開放するのを防止するように、半径方向内側に跳開する。さらに、クリップ保定タブ２５０によって適用される保持力は、展開後、クリップ２００をその中に保定するために実質的に十分ではあるが、好ましくは、制御ワイヤ２３２に適用される圧縮力等の遠位力が、タブ２５０を越えて、砂時計形状の近位部分を遠位に移動させ、制御ワイヤ２３２がＵリンク２１６から分離される前に、随時、ユーザがクリップを再開放（例えば、再位置付けのために）可能であり得るように選択される。
【００１５】
上述のように、クリップ２００のアーム２０４は、クリップ２００が、所定の長さを超えて、カプセル２１０内へと引張されるのを防止する増加厚部分２０４ａを規定する、肩部２０４ｂを備える。したがって、クリップ２００が、本距離だけ、カプセル２１０内に引き込まれると、制御ワイヤに適用される付加的引張力は、上述のように、剪断ピン２１８の破断レベルに到達するまで、そこにかかる張力を増加させる。図８に示されるように、剪断ピン２１８は、例えば、その外径に沿って形成される溝として形成される、１つ以上の応力集中体２５８を備えてもよく、応力集中体２５８は、剪断ピン２１８の長さに沿って、より脆弱点を規定する。当業者は、これらの応力集中体のサイズおよび数を可変させ、剪断ピン２１８の任意の所望の破断レベルを得てもよいことを理解するであろう。
【００１６】
図９および１０に示されるように、本発明の別の例示的実施形態に従う、クリップ３００は、近位端において、シェル３６０に解放可能に取り付け可能である。シェル３６０は、相互に解放可能に取り付けられる、それぞれ、近位および遠位半体３６２、３６４を備えてもよい。近位半体３６２の近位端は、制御ワイヤ３３２に取り付け可能である。近位半体３６２は、制御ワイヤ３３２の遠位端上にアセンブルされる、２つの相補的ピースとして形成されてもよい。例えば、近位半体３６２のピースのうちの第一のピースは、１つ以上のオス型柱３６８を含み得る一方、他方のピースは、相互にピースを整合し、ピースをともに結合し（例えば、接着剤を介して）、近位半体３６２を形成する補助をする、対応するメス型孔３７０集合を含む。同様に、遠位半体３６４は、遠位半体３６４としてアセンブルされると（例えば、接着剤を介して）、ピースを整合するための類似集合の相補的オス型柱３６８およびメス型孔３７０とともに、クリップ３００の近位端上にアセンブルされる、２つのピースとして形成されてもよい。当業者は、それぞれ、近位および遠位半体３６２、３６４のピースが、例えば、射出成形によって形成されてもよいことを理解するであろう。具体的には、近位半体３６２および遠位半体３６４はそれぞれ、本実施形態では、参照として、オス型柱３６８およびメス型孔３７０を使用して、相互に取り付けられる、一対の相補的半円筒形ピースから形成可能である。さらに、オス型柱３６８およびメス型孔３７０は、当業者に理解されるように、超音波溶接のためのエネルギー指向体として作用してもよい。
【００１７】
クリップ３００は、図９および１０に示されるように、２つのアーム３０４を備えてもよく、それぞれ、半径方向外側に延在し、カプセル３６０内に含有される、近位部分を備える。本発明の例示的実施形態は、２つのアームを有するものとして開示されるが、本発明の精神および範囲から逸脱することなく、任意の複数のアームが採用され得ることに留意されたい。クリップ３００は、図１−８の実施形態に関して上述のように、クリップ３００が、所定の距離を越えて、カプセル３６０内に待避されないように防止する、肩部（図示せず）をさらに備える。大空洞３０７が、遠位半体３６４の近位端内に形成される一方、対応する空洞３０９が、近位半体３６２の遠位端内に形成される。空洞３０７、３０９は、アーム３０４の近位端を受容し、アーム３０４の近位端およびそれによって形成されるタブ３０５を半径方向外側に付勢する付勢力に対抗して、それらをその中に残留するように制約する。
【００１８】
クリップ３００の移動は、上述のように、身体からユーザにアクセス可能な近位部分まで、可撓性の部材３３０を通って延在する、制御ワイヤ３３２によって制御される。制御ワイヤ３３２の遠位端は、制御ワイヤ３３２の遠位部分を受容するように定寸される、近位半体３６２内の管腔端に、対応するように定寸および成形された陥凹３７２内に受容される、球形または円筒形等の増加直径部分を含んでもよい。したがって、近位半体３６２は、それとともに近位および遠位に移動するために、制御ワイヤ３３２に連結可能である。遠位半体３６４の近位端から近位に延在し得る、中心柱３１８は、その近位端に増加直径部分３１９を含んでもよい。柱３１８の近位端は、空洞３０７の側壁に連結され、中心柱３１８を遠位半体３６４に結合してもよい。増加直径部分３１９は、近位半体３６２のピースが、制御ワイヤ３３２の遠位端と同様に、相互に結合される前に、陥凹３７２内に挿入されてもよい。したがって、柱３１８は、近位および遠位半体３６２、３６４を相互に結合可能である。また、陥凹３７２は、実質的摩擦嵌合によって、制御ワイヤ３３２の遠位端および中心柱３１８の近位端を受容し、その中のそれぞれの要素の望ましくない移動を防止するように定寸されてもよい。当業者は、制御ワイヤ３３２および柱３１８が、溶接、結合、溶解等を含むが、それらに限定されない、任意数の方法によって（例えば、別個の陥凹３７２によって）、近位半体３６４に連結されてもよいことを認識するであろう。
【００１９】
挿入の際、クリップ３００は、シェル３６０内に部分的に待避され、アーム３０４を相互に接近させ得る。標的組織部位に到達すると、遠位圧縮力が、制御ワイヤ３３２に適用され、力を中心柱３１８に伝達し、さらに、力がシェル３６０の遠位半体３６４に伝達あれ、それによって、クリップ３００をシェルから押出し、アーム３０４を相互から離れるように半径方向に拡張させてもよい。標的組織が、アーム３０４間に受容されると、制御ワイヤ３３２は、近位に抜脱される一方、クリップ３００が、シェル３６０内に待避され、アーム３０４を相互に向かって引くように、可撓性の部材３３０およびカプセル３６０は、実質的に不動に維持され得る。肩部（図示せず）が、その中へのクリップ３００のさらなる引込みを防止するために、カプセル３６０に係合後、制御ワイヤ３３２に適用される付加的近位指向力は、制御ワイヤ３３２にかかる張力、その結果、柱３１８の破断レベルを超えるまで、柱３１８にかかる張力を増加させる。一実施形態では、中心柱３１８は、当業者に理解されるように、約２６．６９−６６．７２Ｎで破断するように形成される、剪断ピン１１８と同様の材料から構成される。代替として、中心柱３１８は、別の好適な材料および／または幾何学形状から形成されてもよい。柱３１８が破断すると、近位および遠位半体３６２、３６４は、相互から分離し得、もはや近位半体３６２の空洞３０９の壁によって制約されていないタブ３０５は、外側に跳開し、カプセル３６０の対応する特徴（例えば、窓３６３）に係合し、クリップを閉鎖状態に係止し、プセル３６０内の適切な位置に維持可能である。
【００２０】
図１１および１２に示されるように、本発明の別の例示的実施形態に従う、クリップ４００は、カプセル４１０内に常駐する、アーム４０４を含んでもよい。アーム４０４は、図９および１０の実施形態同様に、湾曲に沿って屈曲し、相互から離れるように、近位およびその遠位端半径方向に付勢する。アーム４０４の近位部分の湾曲は、ポケット４０８を形成し得る一方、アーム４０４の遠位端は、上述の実施形態と実質的に同様に形成される。アーム４０４の近位端は、ワイヤループ４１８が通過し、クリップ４００を制御ワイヤ４３２に連結し得る、開口部４０６を含有してもよい。当業者は、開口部４０６が、平滑縁を伴う円形開口部として形成され、ワイヤループ４１８への望ましくない外傷を防止し得ることを認識するであろう。アセンブリ内では、ワイヤループ４１８の一端が、開口部４０６を通過され、ワイヤループ４１８の両端が、例えば、その上に圧縮されるワイヤ綴合４１６を使用して、制御ワイヤ４３２の遠位端に連結され得る。例えば、ワイヤ綴合４１６は、ワイヤループ４１８上に圧壊されたハイポチューブの一部を備えてもよい。代替として、当業者に理解されるように、ワイヤ綴合４１６は、加締、結合、溶接、または任意の他の周知の方法によって、ワイヤループ４１８および制御ワイヤ４３２に連結されてもよい。初期構成では、ワイヤループ４１８は、最小間隔を伴って結合され、それによって、アーム４０４の近位端を相互から離れるように半径方向外側に付勢するアーム４０４の付勢力に対抗して、相互に対してアーム４０４の近位端を緊密に把持可能である。さらに別の実施形態（図示せず）では、制御ワイヤ４３２は、その遠位部分に嵌着部分を伴わずに、ユーザにアクセス可能な近位部分から開口部４０６に接合される遠位部分まで延在する、単一連続ワイヤとして形成されてもよい。
【００２１】
上述と同様に、制御ワイヤ４３２は、クリップ４００を組織の標的部分上に位置付けるように操作されてもよい。クリップ４００が、カプセル４１０から遠位に付勢されるのに伴って、アーム４０４の付勢力は、相互から離れるように、その遠位端を開放した組織受容構成に移動させる。標的組織が、アーム４０４の遠位端間に受容されると、制御ワイヤ４３２は、近位に引かれ、クリップ４００をカプセル４１０内に待避させ、アーム４０４の遠位端を接合し、その間の組織を把持してもよい。クリップ４００が、カプセル４１０に侵入するのに伴って、アーム４０４の肩部（図示せず）は、カプセル４１０に接触し、クリップ４００のカプセル４１０内へのさらなる侵入を防止してもよい。本時点後、制御ワイヤ４３２に適用される付加的近位指向力は、ワイヤループ４１８が破断するまで、制御ワイヤ４３２内の張力を増加させ、アーム４０４の近位端を解放し、相互から離れるように半径方向外側に跳開し、タブ４１４をカプセル４１０の窓４１２に係合させ、クリップ４００を閉鎖状態に係止し、クリップ４００をカプセル４１０内に維持する。ワイヤ綴合４１６は、現時点では、近位に移動し、上述の実施形態に記載のいずれかと類似機構を使用して、カプセル４１０を可撓性の部材（図示せず）から係脱させる。
【００２２】
図１３−１６に示されるように、上述の実施形態のいずれも、上述のように、ブッシングまたは可撓性の部材の遠位端内において、その遠位端に連結される制御ワイヤおよび任意の構成要素を係止する、係止機構を含んでもよい。これは、クリップが展開された後、可撓性の部材またはブッシングの遠位端から切断された制御ワイヤが遠位に移動するのを防止し、制御ワイヤまたはそこに取り付けられる任意の構成要素（例えば、近位半体３６４）との接触によって生じ得る損傷からユーザを守るはずである。
【００２３】
具体的には、身体からこれらの構成要素をより安全に除去するために、流線型システムを提供し得る、閉鎖可能または圧壊可能ワイヤ係止部５００が開示される。閉鎖可能ワイヤ係止部５００は、安全上の理由から、生体構造内への鋭利剪断制御ワイヤの押入を防止することを対象とする。本発明の閉鎖可能ワイヤ係止部５００を使用して、カプセル５１０を可撓性の部材５３０に取り付けられたブッシング５２０から強制的に分離してもよく、ブッシング５２０は、図１−４を参照して開示されるように、リテーナまたは他の機構を介して、カプセル５１０から分離可能であるように適合される。具体的には、閉鎖可能ワイヤ係止部５００は、特に、カプセル５１０とブッシング５２０との間のあらゆる他の脆弱連接部が崩壊される場合に有用であり得る。さらに、閉鎖可能ワイヤ係止部５００は、本明細書に開示されるクリップ展開機構のいずれかにおいて採用されてもよい。
【００２４】
図１３−１６を参照すると、閉鎖可能ワイヤ係止部５００は、その中に制御ワイヤ５３２を摺動可能に受容するチューブとして形成可能である。係止部５００の閉鎖可能区画は、一連の支柱５０４によって、相互に連結され、一連の開口部５０５によって、相互から分離される、一連のハブ５０２を含んでもよい。本実施形態は、３つのハブ５０２および４つの支柱５０４を伴って開示されるが、本発明の精神および範囲から逸脱することなく、任意の数のハブ５０２および支柱５０４が、本明細書では、採用されてもよいことに留意されたい。上述の実施形態におけるように、制御ワイヤ５３２は、係止部５００を通って、遠位端まで延在し、例えば、ブッシング５２０内にボールおよびソケット継手を備えてもよい。制御ワイヤ５３２が、クリップから分離され、カプセルを通って近位に移動すると、ボール５０７は、例えば、相互から分離し、半径方向外側に若干屈曲する、一連のフィン５３６として形成される、係止部５００の拡張された遠位端５３４に侵入するように適合される。ボール５０７が、係止部５００の一端５３４内へと近位に移動するのに伴って、フィン５３６は、ボール５０７を把持し、制御ワイヤ５３２と係止部５００との間の実質的移動を防止し得る。制御ワイヤ５３２に適用されるさらなる近位指向力は、ボール５０７に係止部５００を近位に押動させるはずである。係止部５００の近位端（図示せず）は、制御ワイヤ５３２に適用される本近位指向力が、開口部５０５が閉鎖されるのに伴って、係止部５００を圧縮し、支柱５０４を半径方向外側に屈曲させ、ハブ５０２を相互に向かって移動させるように、可撓性の部材５３０に移動不可能に連結され得る。外側に屈曲すると、支柱５０４は、可撓性の部材５３０のコイル間の空間に係合し、係止部５００と可撓性の部材５３０との間の実質的移動を防止する。したがって、制御ワイヤ５３２は、可撓性の部材５３０の遠位端内に係止され得るが、損傷を生じさせるように、そこから遠位に前進することは不可能である。
【００２５】
本発明に従う、クリップおよびクリップ展開機構は、創傷閉合、止血、組織束状化（例えば、中空器官のサイズまたは形状を変更するため）、または組織を接合するための締結具として等の用途のために、種々のサイズで設計されてもよい。代替として、本発明に従う、クリップを使用して、要素を組織に係留してもよい。故に、本発明は、特有の設計および用途を伴って開示されたが、本発明の精神および範囲から逸脱することなく、本明細書では、種々の設計が採用されてもよいことに留意されたい。例えば、本発明に従う、予め配置されるクリップの付勢力は、完全開放と完全閉鎖構成との間の中間点にあるように形成されてもよい。このように、これらの構成のそれぞれにおいて、クリップが受ける応力が最小限にされ、クリップをより柔軟にすることが可能である。したがって、明細書および図面は、限定的意味ではなく、例証としてみなされるべきである。
【図１】
0005519656.tif 000002
【図２】
0005519656.tif 000003
【図３】
0005519656.tif 000004
【図４】
0005519656.tif 000005
【図５】
0005519656.tif 000006
【図６】
0005519656.tif 000007
【図７】
0005519656.tif 000008
【図８】
0005519656.tif 000009
【図９】
0005519656.tif 000010
【図１０】
0005519656.tif 000011
【図１１】
0005519656.tif 000012
【図１２】
0005519656.tif 000013
【図１３】
0005519656.tif 000014
【図１４】
0005519656.tif 000015
【図１５】
0005519656.tif 000016
【図１６Ａ】
0005519656.tif 000017
【図１６Ｂ】
0005519656.tif 000018
【図１６Ｃ】
0005519656.tif 000019